(57)【要約】【課題】本発明の目的は、無線システムにおける遅延に関わりなくベースステーションがハンドオフ中に加入者ターミナルへ信号を同時に送信するようにソフトハンドオフを実現することである。【解決手段】本発明は、ベースステーション及び少なくとも１つのボコーダを備え、これらベースステーション及びボコーダは互いに信号を送信し、ベースステーションはボコーダへ信号を実質的に同時に送信し、そしてボコーダはその実質的に同時に送信された信号を異なる受信時間に受信するようなセルラー無線システムであって、ボコーダにより受信される信号の異なる受信時間の間の遅延差を測定するための測定手段と、ボコーダにより送信された信号をベースステーションが実質的に同時に受信するように、ベースステーションへ送信されるべき信号を必要に応じて遅延するための遅延手段とを備えたセルラー無線システム、及び送信方法に係る。【選択図】図３
2011024249.tif 000002
【特許請求の範囲】
【請求項１】
ベースステーション及び少なくとも１つのボコーダを備え、データパケットより成る信号がベースステーションとボコーダとの間に送信され、ベースステーションはボコーダに信号を実質的に同時に送信し、そしてボコーダはその実質的に同時に送信された信号を異なる受信時間に受信するようなセルラー無線システムに使用される送信方法において、
上記ボコーダにより受信される信号の異なる受信時間の間の遅延差を測定し、そして
上記ボコーダにより送信された信号を上記ベースステーションが実質的に同時に受信するように、上記ベースステーションへ送信されるべき信号を必要に応じて遅延する、
という段階を備えたことを特徴とする方法。
【請求項２】
測定で得られた遅延差に基づいて信号を遅延する請求項１に記載の方法。
【請求項３】
信号受信の瞬間と、その信号に先行する信号の受信の瞬間との間の差に等しい遅延差で信号を遅延する請求項１に記載の方法。
【請求項４】
上記ボコーダは、最後の信号を受信した後に、第１の遅延された信号を送信する請求項１に記載の方法。
【請求項５】
ベースステーションへ送信されるべき信号は、ボコーダにより最初に受信される信号が最大に遅延される請求項１に記載の方法。
【請求項６】
ベースステーションへ送信されるべき信号は、ボコーダにより最後に受信される信号が最小に遅延される請求項１に記載の方法。
【請求項７】
フレーム構造の信号を使用し、フレームには番号が与えられ、それに基づいて同じフレーム番号をもつ信号が検出され、そしてボコーダにより受信された信号から識別される請求項１に記載の方法。
【請求項８】
ボコーダから送信されるべき信号は、上記検出及び識別に基づいて遅延される請求項７に記載の方法。
【請求項９】
多数のフレームより成るスーパーフレームを形成するのに使用されるフレーム構造の信号を使用する請求項１に記載の方法。
【請求項１０】
上記スーパーフレームの長さは、ボコーダにより受信される異なる信号間の遅延差に比して少なくとも２倍である請求項９に記載の方法。
【請求項１１】
多数のベースステーションと同時に通信する少なくとも１つの加入者ターミナルを備えたセルラー無線システムにおいてソフトハンドオフ中に使用される請求項１に記載の方法。
【請求項１２】
ボコーダによりベースステーションへ送信されるべき信号の送信の瞬間は、実質的にベースステーションのエアインターフェイスの同期された送信の瞬間にそれら信号がそれらベースステーションに到着するように調整される請求項１に記載の方法。
【請求項１３】
ベースステーション及び少なくとも１つのボコーダを備え、これらベースステーション及びボコーダは互いに信号を送信し、ベースステーションはボコーダへ信号を実質的に同時に送信し、そしてボコーダはその実質的に同時に送信された信号を異なる受信時間に受信するようなセルラー無線システムにおいて、
ボコーダにより受信される信号の異なる受信時間の間の遅延差を測定するための測定手段と、
ボコーダにより送信された信号をベースステーションが実質的に同時に受信するように、ベースステーションへ送信されるべき信号を必要に応じて遅延するための遅延手段と、を備えたことを特徴とするセルラー無線システム。
【請求項１４】
上記信号は、上記測定手段から得られた遅延差に基づいて遅延される請求項１３に記載のセルラー無線システム。
【請求項１５】
上記遅延手段は、信号受信の瞬間と、その信号に先行する信号の受信の瞬間との間の差に等しい遅延差で信号を遅延する請求項１３に記載のセルラー無線システム。
【請求項１６】
上記ボコーダは、最後の信号を受信した後に、第１の遅延された信号を送信する請求項１３に記載のセルラー無線システム。
【請求項１７】
上記遅延手段は、ベースステーションへ送信されるべき信号を、ボコーダにより最初に受信される信号に対して最大に遅延する請求項１３に記載のセルラー無線システム。
【請求項１８】
上記遅延手段は、ベースステーションへ送信されるべき信号を、ボコーダにより最後に受信される信号に対して最小に遅延する請求項１３に記載のセルラー無線システム。
【請求項１９】
多数のフレームより成るスーパーフレームを形成するのに使用されるフレーム構造の信号を使用する請求項１３に記載のセルラー無線システム。
【請求項２０】
上記システムは、フレーム構造の信号を使用し、そしてボコーダにより受信された信号から同じフレーム番号を有する信号を検出しそして識別するための検出手段を備えた請求項１３に記載のセルラー無線システム。
【請求項２１】
上記遅延手段は、上記検出及び識別に基づいて送信されるべき信号を遅延する請求項２０に記載のセルラー無線システム。
【請求項２２】
上記ボコーダは、フレーム構造の信号からスーパーフレームを形成し、そしてボコーダにより受信される信号の遅延差は、スーパーフレームの長さのせいぜい半分である請求項２０に記載のセルラー無線システム。
【請求項２３】
上記信号はデータパケットより成り、そして異なるベースステーションにより受信される信号間の遅延差は、データパケットの長さに比してせいぜい２倍である請求項１３に記載のセルラー無線システム。
【請求項２４】
上記システムは、ソフトハンドオフ中に多数のベースステーションと同時に通信する少なくとも１つの加入者ターミナルを備えた請求項１３に記載のセルラー無線システム。
【請求項２５】
上記遅延手段は、ボコーダによりベースステーションへ送信されるべき信号の送信の瞬間を、実質的にベースステーションのエアインターフェイスの同期された送信の瞬間にそれら信号がベースステーションに到着するように調整する請求項１３に記載のセルラー無線システム。
【発明の詳細な説明】
【技術分野】
【０００１】
発明の分野
本発明は、一般に、テレコミュニケーションシステムに係り、より詳細には、ソフトハンドオフを用いたデジタルセルラー無線システムに係る。
【背景技術】
【０００２】
先行技術の説明
典型的なセルラー無線システムは、固定ベースステーションネットワークを備え、加入者ターミナルが該ネットワークの１つ以上のベースステーションと通信する。ベースステーションは、加入者ターミナルから到着する通信を転送する。加入者ターミナルは、移動中又は静止したままである間に、ベースステーションを介して互いにそして他の電話システムの加入者ターミナルへメッセージを送信することができる。加入者ターミナルがベースステーションネットワークの有効到達エリアに位置するときにメッセージの送信が可能となる。加入者ターミナルがセルラー無線システムにより提供されるサービスを利用できるためには、あらゆる状況のもとで少なくとも１つのベースステーションへの接続を維持しなければならない。
【０００３】
加入者ターミナルがベースステーションネットワークにより提供されるサービスを利用しないときには、ベースステーションネットワークへの接続を必要とせず、アイドル状態でベースステーションを聴取する。加入者ターミナルがベースステーションネットワークにおいて１つのベースステーションの有効到達エリアから別のベースステーションの有効到達エリアへ移動するときには、チャンネル又はベースステーションを切り換える必要が生じる。
【０００４】
典型的なセルラー無線システムでは、加入者ターミナルは一度に１つのベースステーションのみと通信するが、例えば、特にＣＤＭＡシステムでは、加入者ターミナルは、多数のベースステーションと同時に通信することができる。公知のソフトハンドオフでは、ベースステーションネットワークへの接続がハンドオフに関わりなく維持される。このようなハンドオフでは、通常、ベースステーションが切り換えられる。又、公知技術は、ベースステーションが切り換えられず、使用ベースステーションのセクターが切り換えられるソフターハンドオフも備えている。ソフト及びソフターハンドオフは、メーク・ビフォア・ブレーク（ブレークの前のメークする）型のハンドオフであり、これは、以前のベースステーションへの接続が終了する前に加入者ターミナルに対して新たな接続が設定されることを意味する。いずれのハンドオフにおいても、使用周波数帯域は切り換えられない。
【０００５】
セルラー無線システムは、通常、ボコーダを備え、このボコーダは、信号をソースエンコードし、そして信号送信レートを、例えば公衆交換電話ネットワーク（ＰＳＴＮ）のような送信ネットワークに適応させる。ボコーダは、例えば、ＴＲＡＵ（トランスコーダ／レートアダプタユニット）に配置され、ＴＲＡＵは、例えばベースステーションコントローラ又は移動サービス交換センターに関連して配置される。ＴＲＡＵは、ＴＲＡＵフレームを形成し、ベースステーションへ送信する。信号のコード化により、例えば、ベースステーションへの送信ラインにおける信号データレートが減少される。ボコーダ及びベースステーションは、ＴＲＡＵフレームを形成するデータパケットより成る信号を互いに送信及び受信する。
【０００６】
ソフトハンドオフにおいては、加入者ターミナルが多数のベースステーションと同時に通信する。ソフトハンドオフでは、加入者ターミナルが同じ情報より成る信号をベースステーションへ送信し、この信号はボコーダへ転送される。又、加入者ターミナルは、同じ情報より成る信号をベースステーションからも受け取り、ベースステーションは、その信号をボコーダから受け取っている。
【０００７】
セルラー無線システムでは、ボコーダから異なるベースステーションへの信号ルートが著しく変化し、ボコーダとベースステーションとの間の通信経路の長さが大きく変化する。特に、送信経路の長さは、ボコーダとベースステーションとの間に送信されるべき信号に遅延を生じさせ、それ故、ベースステーションは、ボコーダによって送信された信号を異なる時間に受信する。遅延の長さは、特に使用する信号ルートに基づいて大きく変化する。遅延は、特にベースステーションによる加入者ターミナルへの信号の同時送信においてソフトハンドオフ中に問題を引き起こす。
【発明の概要】
【発明が解決しようとする課題】
【０００８】
発明の要旨
本発明の目的は、無線システムにおける遅延に関わりなくベースステーションがハンドオフ中に加入者ターミナルへ信号を同時に送信するようにソフトハンドオフを実現することである。
【課題を解決するための手段】
【０００９】
これは、ベースステーション及び少なくとも１つのボコーダを備え、データパケットより成る信号がベースステーションとボコーダとの間に送信され、ベースステーションはボコーダに信号を実質的に同時に送信し、そしてボコーダはその実質的に同時に送信された信号を異なる受信時間に受信するようなセルラー無線システムに使用される送信方法であって、ボコーダにより受信される信号の異なる受信時間の間の遅延差を測定し、そしてボコーダにより送信された信号をベースステーションが実質的に同時に受信するように、ベースステーションへ送信されるべき信号を必要に応じて遅延するという段階を備えた本発明の方法によって達成される。
【００１０】
又、本発明は、ベースステーション及び少なくとも１つのボコーダを備え、これらベースステーション及びボコーダは互いに信号を送信し、ベースステーションはボコーダへ信号を実質的に同時に送信し、そしてボコーダはその実質的に同時に送信された信号を異なる受信時間に受信するようなセルラー無線システムであって、ボコーダにより受信される信号の異なる受信時間の間の遅延差を測定するための測定手段と、ボコーダにより送信された信号をベースステーションが実質的に同時に受信するように、ベースステーションへ送信されるべき信号を必要に応じて遅延するための遅延手段とを備えたセルラー無線システムにも係る。
【発明の効果】
【００１１】
本発明による構成体は、特にソフトハンドオフにおいて多数の効果を発揮する。この構成体は、受信信号の遅延差を測定しそしてその遅延差に基づいて送信されるべき信号を遅延させることを含む。本発明の構成体では、ボコーダとベースステーションとの間の距離は、本発明にとって重要ではない。ボコーダにより受信される信号は、フレーム構造にされる。フレームに与えられたフレーム番号により異なるフレームが検出される。フレーム番号は、信号を互いに区別できるようにする。又、信号は適当な遅延で遅延される。適当に遅延された信号は、ベースステーションに同時に到着し、ベースステーションは、それら信号を加入者ターミナルへ同時に転送する。本発明の構成体に使用されるフレーム構造の信号は、スーパーフレームを形成し、フレームの長さを延長すると、信号遅延差の裕度を広げることができる。
【００１２】
以下、添付図面を参照して本発明を詳細に説明する。
【図面の簡単な説明】
【００１３】
【図１】図１は、本発明による方法が使用されるセルラー無線システムを示す図である。
【図２】図２は、セルラー無線システムにおけるハンドオフ中の加入者ターミナルの移動を示す図である。
【図３】図３は、本発明によるセルラー無線システムの構造を詳細に示すブロック図である。
【図４】図４は、信号遅延のタイミングを概略的に示す図である。
【発明を実施するための形態】
【００１４】
好ましい実施形態の詳細な説明
図１は、本発明による方法が使用されるセルラー無線システムを示す。しかしながら、本発明による構成体は、このシステムに限定されるものではなく、拡散スペクトルシステム、特にＣＤＭＡシステムにも適用することができる。セルラー無線システムは、多数の加入者ターミナル１０、２０と、ベースステーション１００、２００、３００と、ベースステーションコントローラ５００と、移動サービス交換センター６００とを備えている。ベースステーションコントローラ５００の機能は、ベースステーション１００、２００、３００を制御することである。セルラー無線システムは、更に、スピーチコーダとして働くボコーダ４００も備えている。スピーチコード化に関しては、ボコーダ４００は、既知の技術に基づいて実現される。図示された加入者ターミナル１０、２０は、実際には、例えば移動電話である。
【００１５】
移動サービス交換センター６００は、送信リンク５５０によりベースステーションコントローラ５００に接続される。ベースステーションコントローラ５００は、送信リンク４５０によりボコーダ４００に接続される。ボコーダ４００は、送信リンク１５０を経てベースステーション１００と通信し、送信リンク２５０を経てベースステーション２００と通信し、そして送信リンク３５０を経てベースステーション３００と通信する。送信リンク１５０、２５０、３５０、４５０及び５５０は、例えば、ＰＣＭ技術で実施される。又、これらの送信リンクは、例えば無線リンクで実施することもできる。図示された構成では、ボコーダ４００は、ベースステーションコントローラ５００と、ベースステーション１００、２００、３００との間に配置される。しかしながら、ボコーダ４００は、例えば、ベースステーションコントローラ５００又は移動サービス交換センター６００に関連してセルラー無線システムの他の何らかの部分に配置することもできる。図示された加入者ターミナル１０、２０は、アンテナ１１を備えている。ベースステーション１００、２００、３００は、アンテナ１０１を備えている。これらのアンテナ１１、１０１は、トランシーバアンテナとして動作する。
【００１６】
図２は、ハンドオフ中のセルラー無線システムにおける加入者ターミナル１０の移動を示す。図示されたように、各ベースステーション１００、２００、３００は、それ自身の有効到達エリア１１０、２１０、３１０を有している。加入者ターミナル１０は、最初、ベースステーション１００の有効到達エリア１１０を移動する。加入者ターミナル１０が他の加入者ターミナル２０への接続を設定する場合には、加入者ターミナル１０は、ベースステーション１００へ信号を送信する。信号は送信リンク１５０を経てボコーダ４００へ伝播し、そこから、信号は更に既知の技術に基づく経路に沿って別の加入者ターミナル２０へ伝播する。加入者ターミナル１０からベースステーション１００、２００、３００を経てボコーダ４００へ至る信号の伝播は、逆方向と称する。
【００１７】
加入者ターミナル１０がベースステーション２００の有効到達エリア２２０に位置する加入者ターミナル２０との接続を設定する場合には、信号が例えば既知の技術に基づく経路に沿ってベースステーションコントローラ５００へ伝播する。信号は、ベースステーションコントローラ５００からボコーダ４００へ伝播する。ボコーダ４００は、送信リンク２５０を経てベースステーション２００へ信号を送信する。ベースステーション２００は、無線経路を経て加入者ターミナル２０へ受信信号を送信する。ボコーダ４００からベースステーション１００、２００、３００へそして更にベースステーションから加入者ターミナル１０、２０へ至る信号の伝播は、順方向と称する。セルラー無線システムの構造に基づき、信号は、システムの異なるネットワーク要素、例えば、ベースステーション１００、２００、３００、ボコーダ４００、及びベースステーションコントローラ５００間を伝播するときに遅延される。又、ベースステーション１００、２００、３００は、信号を処理するときにも信号に遅延を生じさせる。しかしながら、ベースステーション１００、２００、３００は、実質的に等しい長さの処理遅延を生じさせると仮定することができる。又、ベースステーション１００、２００、３００と加入者ターミナル１０との間のエアインターフェイスに生じる遅延は、加入者ターミナル１０と通信する全てのベースステーション１００、２００、３００において実質的に等しいと仮定することもできる。
【００１８】
ボコーダ４００及びベースステーション１００、２００、３００は、フレーム構造の信号においてデータパケットを互いに送信する。データパケットは、例えば、０から３までの値が与えられたフレーム番号フィールドを含む。フレームは、スーパーフレームを形成し、そしてフレーム番号は、スーパーフレームにおけるフレームの位置に依存する。スーパーフレームの長さは、例えば、８０ｍｓであり、そしてデータパケットの長さは、２０ｍｓである。ベースステーション１００、２００、３００により送信されるデータパケットは、ベースステーションが逆方向に信号を同時に送信するように同期される。
【００１９】
加入者ターミナル１０が別の加入者ターミナル２０への接続を設定すると仮定する。加入者ターミナル１０は、図２に示すように、接続中に、ベースステーション１００の有効到達エリア１１０からベースステーション２００の有効到達エリア２１０へ移動する。１つの有効到達エリアから別の有効到達エリアへの移行時に、セルラー無線システムは、加入者ターミナル１０により設定される接続が切断されたり又は干渉されたりしないようなソフトハンドオフを使用する。ソフトハンドオフ中に、加入者ターミナル１０は、ベースステーション１００、２００と同時に通信し、これらベースステーションは、同じデータを含む逆方向信号をボコーダ４００へ送信する。ボコーダ４００も、同じ情報を含む順方向信号を各ベースステーション１００、２００へ送信する。その後、ベースステーション１００、２００は、それらが受信した信号を加入者ターミナル１０へ送信する。
【００２０】
図３は、本発明によるセルラー無線システムの構造を詳細に示すブロック図である。特に、ボコーダ４００とベースステーション１００、２００、３００との間に送信されるべき信号に生じる遅延は、特にハンドオフ中に問題を引き起こす。本発明による構成体は、ボコーダ４００により受け取られる信号の受信の瞬間の間の遅延差を測定するための測定手段４１０（ＭＥＡＳ）を備えている。同じデータより成る信号がボコーダ４００に到着する瞬間から遅延差が測定される。ボコーダ４００とベースステーション１００、２００、３００との間の送信リンク１５０、２５０、３５０を経て送られる信号の遅延差は、逆方向及び順方向におけるスーパーフレームの長さのせいぜいほぼ半分である。しかしながら、必要であれば、スーパーフレームの長さを増加することにより許容遅延差を増加することもできる。
【００２１】
又、セルラー無線システムは、遅延手段４２０も備えている。この遅延手段４２０は、ボコーダ４００によってベースステーション１００、２００、３００へ送信される信号を必要に応じて遅延させる。この遅延により、ベースステーション１００、２００、３００は、たとえ信号送信に遅れがあっても、ボコーダ４００により送信された信号を実質的に同時に受け取る。遅延手段４２０は、測定手段４１０により行なわれた遅延測定に基づいて信号を遅延させる。ベースステーション１００、２００、３００によって受信されそして同じデータを含んでいる信号の遅延差は、信号を構成するデータパケットの長さに実質的にほぼ等しくなる。データパケットの長さは、通常、２０ｍｓの周期に対応する。
【００２２】
ハンドオフ中に、加入者ターミナル１０は、ベースステーション１００、２００、３００へ信号を送信すると仮定する。ベースステーション１００、２００、３００は、信号を受信し、そしてそれをボコーダ４００へ転送する。ベースステーション１００、２００、３００は、ボコーダ４００へ信号を実質的に同時に送信する。ボコーダ４００への信号のルートが異なるので、信号は、異なる長さの遅延を伴って供給される。又、送信リンク２５０に沿って伝播する信号は、送信リンク３５０に沿って伝播する信号の例えば１ミリ秒前にボコーダ４００に到着すると仮定する。測定手段４１０は、ベースステーション２００、３００により送信された信号を測定し、そして上記の１ミリ秒をそれら信号間の遅延差として得る。逆方向において測定手段４１０により測定された遅延差に関するデータは、遅延手段４２０に送られ、この遅延手段は、順方向に送信リンク２５０に沿って加入者ターミナル１０へ送信されるべき信号を遅延させる。この遅延により、ボコーダ４００により送信された信号は、ベースステーション１００、２００、３００に実質的に同時に到着し、その後、データパケットは、加入者ターミナル１０へ実質的に同時に送信することができる。
【００２３】
又、セルラー無線システムは、ボコーダ４００により受け取られた信号から、異なるベースステーション１００、２００、３００から送信されたデータパケットを検出して識別するための検出手段４３０（ＤＥＴ）も備えている。この検出手段４３０は、フレーム番号に基づいて異なるデータパケットを検出しそして識別する。遅延手段４２０は、ボコーダ４００によって受信されたフレームと同じフレーム番号を有するデータパケットを、検出手段４３０で行なわれた検出及び識別に基づいて遅延させる。ボコーダ４００により受信及び送信される信号が同じフレーム番号を含む場合には、そのフレーム番号が互いに対応する。セルラー無線システムに含まれる測定手段４１０、遅延手段４２０及び検出手段４３０は、ボコーダとして働くＴＲＡＵに配置されるのが好ましい。図３においては、測定手段４１０、遅延手段４２０及び検出手段４３０が、ボコーダと、ベースステーション１００、２００、３００との間に配置される。しかしながら、これら手段４１０、４２０及び４３０は、セルラー無線システムの他の部分に配置することもできる。
【００２４】
図４は、データパケットより成る信号の遅延のタイミングを概略的に示す。より詳細には、この図は、逆方向及び順方向における３つのベースステーション１００、２００、３００及びボコーダ４００の信号の遅延を示している。この図において、ベースステーション１００、２００、３００は、それらの信号を実質的に同じ時間Ｔ０にボコーダ４００へ送信する。この図において、ベースステーション１００、２００、３００が信号の送信を開始したときに時間の経過が始まると仮定する。測定手段４１０は、ボコーダ４００により受信される信号の受信の瞬間に基づいて信号遅延差を測定する。ボコーダ４００は、最初、ベースステーション１００により送信された信号を時間Ｔ１＝４０ｍｓに受信する。それ故、ベースステーション１００により送信された信号がボコーダ４００に到着するのに４０ｍｓを要する。ベースステーション２００により送信された信号は、時間Ｔ３＝８０ｍｓにボコーダ４００に受信される。更に、ベースステーション３００により送信された信号は、時間Ｔ２＝６０ｍｓにボコーダ４００に受信される。ベースステーション１００、２００、３００は、０ないし３で指示されたフレームにおいて信号を送信する。図示された例では、ベースステーション１００、２００、３００は、フレーム番号０のフレームから送信を開始する。
【００２５】
それ故、ベースステーション２００により送信された信号は、ベースステーション１００、２００、３００により送信された全ての信号の最後にボコーダ４００に到着する。これは、ベースステーション１００、３００とボコーダ４００との間のルートよりも、ベースステーション２００とボコーダ４００との間の遅延が長いことを意味する。遅延手段４２０は、最後に到着した信号の受信の瞬間Ｔ３の後に信号の遅延を開始する。より詳細には、遅延は、時間Ｔ３より時間ΔＴの後に開始する。遅延手段４２０は、順方向に信号を遅延する。遅延手段４２０は、逆方向に測定手段４１０により実行された遅延測定に基づいて信号を遅延する。ボコーダ４００は、最後のフレームが受信されたときよりΔＴだけ後にフレーム番号０で示されたフレームをベースステーション２００へ送信する。これは、フレーム番号０で示されたフレームが最初に時間Ｔ４＝ΔＴ＋Ｔ３にベースステーション２００へ送信されることを意味する。図示された構成では、時間ΔＴは、例えば、フレームの長さに比して短い。
【００２６】
ボコーダ４００は、次いで、フレーム番号０で示されたフレームをベースステーション３００へ送信する。この送信は、時間Ｔ５＝ΔＴ＋Ｔ３＋（Ｔ３−Ｔ２）に行なわれる。従って、ベースステーション３００へのフレームは、ベースステーション２００への送信の２０ｍｓ後に送信される。ボコーダ４００は、最後に、フレーム番号０で示されたフレームをベースステーション１００へ送信する。この送信は、時間Ｔ６＝ΔＴ＋Ｔ３＋（Ｔ２−Ｔ１）に行なわれる。ベースステーション１００への送信は、ベースステーション２００への送信の４０ｍｓ後に行なわれる。本発明による構成では、逆方向及び順方向にボコーダ４００により行われる信号処理動作は、同期されない。更に、ボコーダ４００は、ベースステーション１００、２００、３００と同期される必要がない。本発明による構成では、信号の全遅延は重要ではなく、測定される必要がない。むしろ、信号の遅延差が重要である。ボコーダがベースステーションへ送信されるべきデータパケットを適当に遅延したときには、データパケッドがベースステーション１００、２００、３００に同時に到着する。図４に示す構成では、ベースステーション１００、２００、３００は、ボコーダ４００が異なる時間に送信した信号を実質的に同じ時間Ｔ７に受信する。ハンドオフ中に、ベースステーション１００、２００、３００に同時に到着する信号は、加入者ターミナル１０へも信号を容易に同時に送信できるようにする。時間ΔＴの長さを変更することにより、ベースステーションにおいて順方向遅延を最小にすることができる。換言すれば、周期ΔＴの長さが変更されるときには、ベースステーション１００、２００、３００のエアインターフェイスの同期された送信の瞬間にできるだけ近い状態で信号がベースステーション１００、２００、３００に到着するように、順方向信号を調整することができる。遅延手段４２０は、周期ΔＴの長さを効果的に調整する。
【００２７】
添付図面の例を参照して本発明を以上に詳細に説明したが、本発明は、これに限定されるものではなく、請求の範囲に記載した本発明の範囲内で種々の変更がなされ得ることが明らかであろう。
【図１】
2011024249.tif 000003
【図２】
2011024249.tif 000004
【図３】
2011024249.tif 000005
【図４】
2011024249.tif 000006
【手続補正書】
【提出日】平成22年9月17日(2010.9.17)
【手続補正１】
【補正対象書類名】特許請求の範囲
【補正対象項目名】全文
【補正方法】変更
【補正の内容】
【特許請求の範囲】
【請求項１】
第１のベースステーションとボコーダとの間に存在する第１の通信経路を経由して、該第１のベースステーションから、逆通信方向の音声通信を表す第１の音声信号を、該第１の通信経路を該逆通信方向に進む結果としての、ある量の第１の受信遅延を伴って該ボコーダで受信する段階と、
第２のベースステーションと前記ボコーダとの間に存在する第２の通信経路を経由して、該第２のベースステーションから、逆通信方向の同一の音声通信を表す第２の音声信号を、該第２の通信経路を該逆通信方向に進む結果としての、ある量の第２の受信遅延を伴って該ボコーダで受信する段階と、
前記第１の音声信号に与えられた前記第１の受信遅延と前記第２の音声信号に与えられた前記第２の受信遅延との間の遅延差を測定する段階と、
前記ボコーダから前記第１及び第２のベースステーションへと、対応する第１及び第２の音声信号を、それぞれ前記第１及び第２の通信経路を越えて順通信方向に送信する段階であって、該対応する第１及び第２の音声信号は、前記逆通信方向での前記第１及び第２の音声信号の受信順序に比較して逆の順序で、前記測定された遅延差に等しい量で互いに遅延された上で該順通信方向に送信され、それにより該第１及び第２のベースステーションのそれぞれにおいて該対応する第１及び第２の音声信号を実質的に同時に受信させる段階と
を含む、同期方法。
【請求項２】
前記ボコーダにて前記逆通信方向で受信された前記第１及び第２の音声信号に含まれる音声データパケットに関するフレーム番号を識別する段階と、
前記第１及び第２のベースステーションからの、同一のフレーム番号を有する音声データパケットの前記ボコーダへの到着時刻を検出し、該到着時刻間の差を得ることにより、前記第１の音声信号に与えられた前記第１の受信遅延と前記第２の音声信号に与えられた前記第２の受信遅延との間の遅延差を測定する段階と
を含む、請求項１に記載の方法。
【請求項３】
前記第１及び第２のベースステーションに対する、前記順通信方向での音声データパケットの送信時刻を、前記ボコーダにて前記逆通信方向で受信された、対応する音声データパケットの到着時刻差の測定値に応じて遅延させる段階を含む、請求項２に記載の方法。
【請求項４】
前記音声データパケットを、各々のスーパーフレーム内の音声データパケットが該スーパーフレームにおけるそれらの位置に応じて番号付けされるようなパケット付番方式を備えたスーパーフレーム構造にて構成する段階を含む、請求項３に記載の方法。
【請求項５】
前記スーパーフレームの長さは、前記ボコーダによって受信された、前記第１及び第２の音声信号間の最大遅延差の少なくとも２倍である、請求項４に記載の方法。
【請求項６】
前記対応する第１及び第２の音声信号が、実質的に前記ベースステーションのエアインターフェイスの同期された送信の瞬間に各々のベースステーションで受信されるよう、前記ボコーダから前記第１及び第２のベースステーションへとそれぞれ前記順通信方向に送信される該対応する第１及び第２の音声信号の送信タイミングを調整する段階を含む、請求項１に記載の方法。
【請求項７】
第１のベースステーションとボコーダとの間に存在する第１の通信経路を経由して、該第１のベースステーションから、逆通信方向の音声通信を表す第１の音声信号を、該第１の通信経路を該逆通信方向に進む結果としての、ある量の第１の受信遅延を伴って該ボコーダで受信し、
第２のベースステーションと前記ボコーダとの間に存在する第２の通信経路を経由して、該第２のベースステーションから、逆通信方向の同一の音声通信を表す第２の音声信号を、該第２の通信経路を該逆通信方向に進む結果としての、ある量の第２の受信遅延を伴って該ボコーダで受信する
よう構成された、前記ボコーダと、
前記第１の音声信号に与えられた前記第１の受信遅延と前記第２の音声信号に与えられた前記第２の受信遅延との間の遅延差を測定するよう構成された、遅延差測定手段と、
前記第１及び第２のベースステーションへの、対応する第１及び第２の音声信号の、それぞれ前記第１及び第２の通信経路を越えての順通信方向での送信を、該対応する第１及び第２の音声信号が前記逆通信方向での前記第１及び第２の音声信号の受信順序に比較して逆の順序で前記ボコーダから該順通信方向に送信されるよう、前記遅延差測定手段により測定された遅延差に等しい量で互いに遅延させ、それにより該第１及び第２のベースステーションのそれぞれにおいて該対応する第１及び第２の音声信号を実質的に同時に受信させるよう構成された、遅延手段と
を備えた、セルラー無線システム。
【請求項８】
前記ボコーダにて前記逆通信方向で受信された前記第１及び第２の音声信号に含まれる音声データパケットに関するフレーム番号を識別するよう構成された、データパケット検出手段を更に備え、
前記遅延差測定手段が、前記第１及び第２のベースステーションからの、同一のフレーム番号を有する音声データパケットの前記ボコーダへの到着時刻を検出し、該到着時刻間の差を得ることにより、前記第１の音声信号に与えられた前記第１の受信遅延と前記第２の音声信号に与えられた前記第２の受信遅延との間の遅延差を測定するよう構成された、
請求項７に記載のセルラー無線システム。
【請求項９】
前記遅延手段が、前記第１及び第２のベースステーションに対する、前記順通信方向での音声データパケットの送信時刻を、前記ボコーダにて前記逆通信方向で受信された、対応する音声データパケットの到着時刻差の測定値に応じて遅延させるよう構成されている、請求項８に記載のセルラー無線システム。
【請求項１０】
前記音声データパケットが、各々のスーパーフレーム内の音声データパケットが該スーパーフレームにおけるそれらの位置に応じて番号付けされるようなパケット付番方式を備えたスーパーフレーム構造にて構成されている、請求項９に記載のセルラー無線システム。
【請求項１１】
前記スーパーフレームの長さは、前記ボコーダによって受信された、前記第１及び第２の音声信号間の最大遅延差の少なくとも２倍である、請求項１０に記載のセルラー無線システム。
【請求項１２】
前記対応する第１及び第２の音声信号が、実質的に前記ベースステーションのエアインターフェイスの同期された送信の瞬間に各々のベースステーションで受信されるべく、前記ボコーダから前記第１及び第２のベースステーションへとそれぞれ前記順通信方向に送信される該対応する第１及び第２の音声信号の送信タイミングを調整するよう前記遅延手段が構成されている、請求項７に記載のセルラー無線システム。
【請求項１３】
第１のベースステーションとボコーダとの間に存在する第１の通信経路を経由して、該第１のベースステーションから、逆通信方向の音声通信を表す第１の音声信号を、該第１の通信経路を該逆通信方向に進む結果としての、ある量の第１の受信遅延を伴って該ボコーダで受信し、
第２のベースステーションと前記ボコーダとの間に存在する第２の通信経路を経由して、該第２のベースステーションから、逆通信方向の同一の音声通信を表す第２の音声信号を、該第２の通信経路を該逆通信方向に進む結果としての、ある量の第２の受信遅延を伴って該ボコーダで受信し、
前記第１の音声信号に与えられた前記第１の受信遅延と前記第２の音声信号に与えられた前記第２の受信遅延との間の遅延差を測定し、
前記第１及び第２のベースステーションへと、対応する第１及び第２の音声信号を、前記逆通信方向での前記第１及び第２の音声信号の受信順序に比較して逆の順序で、それぞれ前記第１及び第２の通信経路を越えて順通信方向に送信し、
前記対応する第１及び第２の音声信号を、前記測定された遅延差に等しい量で互いに遅延させ、それにより該第１及び第２のベースステーションのそれぞれにおいて該対応する第１及び第２の音声信号を実質的に同時に受信させる
よう構成された、前記ボコーダ。
【請求項１４】
前記ボコーダにて前記逆通信方向で受信された前記第１及び第２の音声信号に含まれる音声データパケットに関するフレーム番号を識別し、
前記第１及び第２のベースステーションからの、同一のフレーム番号を有する音声データパケットの前記ボコーダへの到着時刻を検出し、該到着時刻間の差を得ることにより、前記第１の音声信号に与えられた前記第１の受信遅延と前記第２の音声信号に与えられた前記第２の受信遅延との間の遅延差を測定する
よう構成された、請求項１３に記載のボコーダ。
【請求項１５】
前記第１及び第２のベースステーションに対する、前記順通信方向での音声データパケットの送信時刻を、前記ボコーダにて前記逆通信方向で受信された、対応する音声データパケットの到着時刻差の測定値に応じて遅延させるよう構成された、請求項１４に記載のボコーダ。
【請求項１６】
前記音声データパケットが、各々のスーパーフレーム内の音声データパケットが該スーパーフレームにおけるそれらの位置に応じて番号付けされるようなパケット付番方式を備えたスーパーフレーム構造にて構成されている、請求項１５に記載のボコーダ。
【請求項１７】
前記スーパーフレームの長さは、前記ボコーダによって受信された、前記第１及び第２の音声信号間の最大遅延差の少なくとも２倍である、請求項１６に記載のボコーダ。
【請求項１８】
前記対応する第１及び第２の音声信号が、実質的に前記ベースステーションのエアインターフェイスの同期された送信の瞬間に各々のベースステーションで受信されるべく、前記ボコーダから前記第１及び第２のベースステーションへとそれぞれ前記順通信方向に送信される該対応する第１及び第２の音声信号の送信タイミングを調整するよう構成された、請求項１３に記載のボコーダ。
【請求項１９】
請求項１３乃至１８のいずれか一項に記載されたボコーダを備えた、トランスコーダレートアダプテーションユニット。
【請求項２０】
ボコーディングのための装置であって、
セルラー無線システムにおける複数のベースステーションから前記装置に対して送信されるデータパケットを検出及び識別するよう構成された、パケット検出ユニットと、
前記複数のベースステーションから前記装置によって受信される、対応するデータパケットの、異なる受信時点間での遅延差を測定するよう構成された、遅延測定ユニットと、
前記ベースステーションが対応するデータパケットを実質的に同時に受信するよう、前記装置から該ベースステーションに対して送信されるべきデータパケットを必要に応じて遅延させるよう構成された、送信遅延ユニットと
を備えた装置。
【請求項２１】
前記送信遅延ユニットが、該遅延測定ユニットにより決定される遅延差に少なくとも一部基づき、ベースステーションに送信されるべきデータパケットを遅延させるよう構成されている、請求項２０に記載の装置。
【請求項２２】
前記送信遅延ユニットが、ベースステーションであって該ベースステーションから受信されたデータパケットの遅延が最も短かったベースステーション、へと送信すべきデータパケットを最も長く遅延させるよう構成されている、請求項２０に記載の装置。
【請求項２３】
前記送信遅延ユニットが、ベースステーションであって該ベースステーションから受信されたデータパケットの遅延が最も長かったベースステーション、へと送信すべきデータパケットを最も短く遅延させるよう構成されている、請求項２０に記載の装置。
【請求項２４】
前記パケット検出ユニットが、前記複数のベースステーションから受信される、対応するデータパケットを、該データパケットに関するフレーム番号に基づいて検出及び識別するよう構成されている、請求項２０に記載の装置。
【請求項２５】
前記データパケットが、前記ベースステーションのエアインターフェイスの送信の瞬間に実質的に同期して該ベースステーションに到着するよう、前記送信遅延ユニットが、該ベースステーションへの前記対応するデータパケットの送信遅延を調整するよう構成されている、請求項２０に記載の装置。